【手続補正書】
【提出日】平成15年9月30日(2003.9.30)
【手続補正１】
【補正対象書類名】明細書
【補正対象項目名】特許請求の範囲
【補正方法】変更
【補正の内容】
【特許請求の範囲】
【請求項１】
ユニットプロジェクタの表示デバイスからの出射光を用いてユニットスクリーンに表示した単位画像を複数合わせ全体画像を形成するマルチスクリーン表示装置において、
ユニットプロジェクタ内の上記表示デバイスもしくは照明光学系のいずれか一方、または両方を、該複数のユニットプロジェクタに共通の基準輝度情報に基づき制御して複数のユニットスクリーン間の輝度むらまたは色むらを抑えるようにすることを特徴とするマルチスクリーン表示装置。
【請求項２】
ユニットプロジェクタの表示デバイスからの出射光を用いてユニットスクリーンに表示した単位画像を複数合わせ全体画像を形成するマルチスクリーン表示装置において、
光の輝度情報を複数のユニットプロジェクタ間で比較し、該比較結果に基づき上記表示デバイスもしくは照明光学系のいずれか一方、または両方を制御して複数のユニットスクリーン間の輝度むらまたは色むらを抑えるようにしたことを特徴とするマルチスクリーン表示装置。
【請求項３】
ユニットプロジェクタ内で照明光学系側からの光を表示デバイスに照射しユニットスクリーンに表示した単位画像を複数合わせ全体画像を形成するマルチスクリーン表示装置において、
複数のユニットプロジェクタのうち、第１のユニットプロジェクタから得られる第１の輝度情報と、第２のユニットプロジェクタから得られる第２の輝度情報とを比較し基準輝度情報として第３の輝度情報を出力する比較回路と、
上記第３の輝度情報に基づき画像信号もしくは上記照明光学系の光量のいずれか一方、または両方を制御する制御回路と、
を備え、
上記第３の輝度情報を上記複数のユニットプロジェクタ間の共通情報としこれに基づき複数のユニットスクリーン間の輝度むらまたは色むらを抑えるようにしたことを特徴とするマルチスクリーン表示装置。
【請求項４】
ユニットプロジェクタ内で照明光学系側からの光を表示デバイスに照射しユニットスクリーンに表示した単位画像を複数合わせ全体画像を形成するマルチスクリーン表示装置において、
上記ユニットプロジェクタの輝度情報を検知する検知手段と、
複数のユニットプロジェクタのうち、第１のユニットプロジェクタから上記検知手段により得られる第１の輝度情報と、第２のユニットプロジェクタから得られる第２の輝度情報とを比較し基準輝度情報としての第３の輝度情報を出力する比較回路と、
該第３の輝度情報と上記第１の輝度情報に基づき画像信号の出力振幅変換ゲインを求める回路と、
該求めたゲインにより画像信号の振幅を変換する変換回路と、
該振幅変換された画像信号に基づき上記表示デバイスを駆動する駆動回路と、
を備え、
上記第３の輝度情報を上記複数のユニットプロジェクタ間の共通情報としこれに基づき上記表示デバイスを制御して複数のユニットスクリーン間の輝度むらまたは色むらを抑えるようにしたことを特徴とするマルチスクリーン表示装置。
【請求項５】
上記比較回路は、上記複数のユニットプロジェクタで最低レベルの輝度情報を上記第３の輝度情報として出力する構成である請求項３または請求項４に記載のマルチスクリーン表示装置。
【請求項６】
上記第１、第２の輝度情報の比較結果情報を複数のユニットプロジェクタ間で閉ループ状態で授受し、スクリーン全体の基準輝度情報として上記第３の輝度情報を得る構成である請求項３から５のいずれかに記載のマルチスクリーン表示装置。
【請求項７】
上記比較回路は、上記第３の輝度情報を保存可能な構成である請求項３または請求項４に記載のマルチスクリーン表示装置。
【請求項８】
ユニットプロジェクタ内で照明光学系側からの光を赤、緑、青色光用の各表示デバイスに照射しユニットスクリーンに表示した単位画像を複数合わせ全体画像を形成するマルチスクリーン表示装置において、
複数のユニットプロジェクタのうち第１のユニットプロジェクタから得られる赤、緑、青色光の第１の輝度情報を、予め設定した赤、緑、青色光の輝度情報のそれぞれと比較し、輝度レベル差が最も大きい色の輝度情報と第２のユニットプロジェクタの第２の輝度情報とに基づき基準輝度情報の第３の輝度情報として出力する比較回路と、
上記第３の輝度情報に基づき画像信号もしくは上記照明光学系の光量のいずれか一方、または両方を制御する制御回路と、
を備え、
上記第３の輝度情報を上記複数のユニットプロジェクタ間の共通情報としこれに基づき複数のユニットスクリーン間の赤、緑、青色光それぞれの輝度むらまたは色むらを抑えるようにしたことを特徴とするマルチスクリーン表示装置。
【請求項９】
ユニットプロジェクタ内で光源側からの光を赤、緑、青色光用の各表示デバイスに照射しユニットスクリーンに表示した単位画像を複数合わせ全体画像を形成するマルチスクリーン表示装置において、
複数のユニットプロジェクタのうち、第１のユニットプロジェクタから得られる赤、緑、青色光の第１の輝度情報と、第２のユニットプロジェクタから得られる第２の輝度情報とに基づき基準輝度情報としての第３の輝度情報を出力する回路と、
上記第３の輝度情報に基づき画像信号もしくは上記照明光学系の光量のいずれか一方、または両方を制御する制御回路と、
を備え、
上記第３の輝度情報を上記複数のユニットプロジェクタ間の共通情報としてこれに基づき複数のユニットスクリーン間の赤、緑、青色光それぞれの輝度むらまたは色むらを抑えるようにしたことを特徴とするマルチスクリーン表示装置。
【請求項１０】
上記比較回路は、上記第１または第２の輝度情報が異常のときにこれを判断し上記第３の輝度情報を出力しない構成である請求項３から９のいずれかに記載のマルチスクリーン表示装置。
【請求項１１】
ユニットプロジェクタの表示デバイスからの出射光を用いてユニットスクリーンに表示した単位画像を複数合わせ全体画像を形成するマルチスクリーン表示装置において、
複数のユニットプロジェクタに共通の輝度情報であって予め設定した輝度レベルとの差が最大となる輝度情報を基準輝度情報として出力する回路と、該基準輝度情報に基づき該複数のユニットプロジェクタ内で上記表示デバイスもしくは照明光学系のいずれか一方、または両方を、複数のユニットスクリーン間の輝度むらまたは色むらを抑えるように制御する回路とを備えたことを特徴とするマルチスクリーン表示装置。
【請求項１２】
請求項１から１１のいずれに記載のマルチスクリーン表示装置にパーソナルコンピュータが接続されて成り、該パーソナルコンピュータからの画像信号を該マルチスクリーン表示装置に入力して表示可能にしたことを特徴とする表示システム。
【請求項１３】
ユニットプロジェクタで照明光学系側からの光を表示デバイスに照射しユニットスクリーンに表示した単位画像を複数合わせ全体画像を形成するマルチスクリーン表示装置用のプロジェクタ駆動回路において、
複数のユニットプロジェクタのうち、第１のユニットプロジェクタから得られる第１の輝度情報と、第２のユニットプロジェクタから得られる第２の輝度情報とに基づき基準輝度情報としての第３の輝度情報を出力する比較回路と、
上記第３の輝度情報に基づき画像信号もしくは上記照明光学系の光量のいずれか一方、または両方を制御する制御回路と、
を備え、
上記第３の輝度情報を上記複数のユニットプロジェクタ間の共通情報とし複数のユニットスクリーン間の輝度むらまたは色むらを抑えるようにユニットプロジェクタを駆動することを特徴とするプロジェクタ駆動回路。
【手続補正２】
【補正対象書類名】明細書
【補正対象項目名】０００４
【補正方法】変更
【補正の内容】
【０００４】
【課題を解決するための手段】
上記目的を達成するために、本発明では、
１）ユニットプロジェクタ（一実施例：符号１３、１３Ａ〜１３Ｉ）の表示デバイス（一実施例：符号３、３ｒ、３ｇ、３ｂ）からの出射光を用いてユニットスクリーン（一実施例：符号１）に表示した単位画像を複数合わせ全体画像を形成するマルチスクリーン表示装置において、ユニットプロジェクタ内で上記表示デバイスもしくはランプ（一実施例：符号４）等光源を含む照明光学系のいずれか一方、または両方を、該複数のユニットプロジェクタに共通の基準輝度情報に基づき制御して複数のユニットスクリーン間の輝度むらまたは色むらを抑えるようにした構成とする。


【手続補正３】
【補正対象書類名】明細書
【補正対象項目名】０００５
【補正方法】変更
【補正の内容】
【０００５】
２）輝度情報を複数のユニットプロジェクタ間で比較し、該比較結果に基づき表示デバイスもしくはランプ等光源を含む照明光学系のいずれか一方、または両方を制御して複数のユニットスクリーン間の輝度むらまたは色むらを抑えるようにした構成とする。


【手続補正４】
【補正対象書類名】明細書
【補正対象項目名】０００６
【補正方法】変更
【補正の内容】
【０００６】
３）複数のユニットプロジェクタのうち、第１のユニットプロジェクタ（一実施例：符号１３）から得られる第１の輝度情報（一実施例：符号１０１）と、第２のユニットプロジェクタから得られる第２の輝度情報（一実施例：符号１０２）とを比較し基準輝度情報としての第３の輝度情報（一実施例：符号１０３）を出力する比較回路（一実施例：符号６）と、上記第３の輝度情報に基づき画像信号（一実施例：符号１０６）もしくはランプ（一実施例：符号４）等光源を含む照明光学系の光量のいずれか一方、または両方を制御する制御回路（一実施例：符号７、９、１０）と、を備え、上記第３の輝度情報を上記複数のユニットプロジェクタ間の共通情報としこれに基づき複数のユニットスクリーン間の輝度むらまたは色むらを抑えるようにした構成とする。


【手続補正５】
【補正対象書類名】明細書
【補正対象項目名】０００７
【補正方法】変更
【補正の内容】
【０００７】
４）ユニットプロジェクタの輝度情報を検知する検知手段（一実施例：符号５）と、複数のユニットプロジェクタのうち、第１のユニットプロジェクタ（一実施例：符号１３）から上記検知手段により得られる第１の輝度情報（一実施例：符号１０１）と、第２のユニットプロジェクタから得られる第２の輝度情報（一実施例：符号１０２）とを比較し基準輝度情報としての第３の輝度情報（一実施例：符号１０３）を出力する比較回路（一実施例：符号６）と、該第３の輝度情報と上記第１の輝度情報に基づき表示画像信号（一実施例：符号１０６）の出力振幅変換ゲインを求める回路（一実施例：符号７）と、該求めたゲインにより画像信号の振幅を変換する変換回路（一実施例：符号９）と、該振幅変換された画像信号に基づき表示デバイスを駆動する駆動回路（一実施例：符号１０）と、を備え、上記第３の輝度情報を上記複数のユニットプロジェクタ間の共通情報としこれに基づき上記表示デバイスを制御して複数のユニットスクリーン間の輝度むらまたは色むらを抑えるようにした構成とする。


【手続補正６】
【補正対象書類名】明細書
【補正対象項目名】０００８
【補正方法】変更
【補正の内容】
【０００８】
５）複数のユニットプロジェクタのうち第１のユニットプロジェクタから得られる赤、緑、青色光の第１の輝度情報を、予め設定した赤、緑、青色光の輝度情報のそれぞれと比較し、輝度レベル差が最も大きい色の輝度情報と第２のユニットプロジェクタの第２の輝度情報とに基づき基準輝度情報の第３の輝度情報として出力する比較回路と、上記第３の輝度情報に基づき画像信号もしくはランプ（一実施例：符号４）等光源を含む照明光学系の光量のいずれか一方、または両方を制御する制御回路と、を備え、上記第３の輝度情報を上記複数のユニットプロジェクタ間の共通情報としこれに基づき複数のユニットスクリーン間の赤、緑、青色光それぞれの輝度むらまたは色むらを抑えるようにした構成とする。


【手続補正７】
【補正対象書類名】明細書
【補正対象項目名】０００９
【補正方法】変更
【補正の内容】
【０００９】
６）複数のユニットプロジェクタのうち、第１のユニットプロジェクタから得られる赤、緑、青色光の第１の輝度情報と、第２のユニットプロジェクタから得られる第２の輝度情報とに基づき基準輝度情報としての第３の輝度情報を出力する回路と、該第３の輝度情報に基づき画像信号もしくはランプ（一実施例：符号４）等光源を含む照明光学系の光量のいずれか一方、または両方を制御する制御回路と、を備え、上記第３の輝度情報を上記複数のユニットプロジェクタ間の共通情報としこれに基づき複数のユニットスクリーン間の赤、緑、青色光それぞれの輝度むらまたは色むらを抑えるようにした構成とする。


【手続補正８】
【補正対象書類名】明細書
【補正対象項目名】００１０
【補正方法】変更
【補正の内容】
【００１０】
７）複数のユニットプロジェクタに共通の輝度情報であって予め設定した輝度レベルとの差が最大となる輝度情報を基準輝度情報として出力する回路と、該基準輝度情報に基づいて該複数のユニットプロジェクタ内で表示デバイスもしくはランプ等光源を含む照明光学系のいずれか一方、または両方を、複数のユニットスクリーン間の輝度むらまたは色むらを抑えるように制御する回路とを備える構成とする。


【手続補正９】
【補正対象書類名】明細書
【補正対象項目名】００１２
【補正方法】変更
【補正の内容】
【００１２】
９）ユニットプロジェクタでランプ等光源を含む照明光学系側からの光を表示デバイスに照射しユニットスクリーンに表示した単位画像を複数合わせ全体画像を形成するマルチスクリーン表示装置用のプロジェクタ駆動回路において、複数のユニットプロジェクタのうち、第１のユニットプロジェクタから得られる第１の輝度情報と、第２のユニットプロジェクタから得られる第２の輝度情報とに基づき基準輝度情報としての第３の輝度情報を出力する比較回路と、該第３の輝度情報に基づき画像信号もしくは上記照明光学系の光量のいずれか一方、または両方を制御する制御回路と、を備え、上記第３の輝度情報を上記複数のユニットプロジェクタ間の共通情報とし複数のユニットスクリーン間の輝度むらまたは色むらを抑えるようにプロジェクタを駆動する構成とする。